(57)【要約】【課題】  印刷版にたるみを生じさせることなく版胴の外周部に装着させることができる印刷装置を提供することを目的とする。【解決手段】  印刷装置は、印刷版を第１の版胴に供給するための印刷版供給装置を備える。印刷版供給装置に備えられる一対の搬送ローラは、展張ローラ１１１と、従動ローラ１１２とにより構成される。展張ローラ１１１は、第１の版胴１１の回転軸と平行となるように配設された展張ローラ回転軸１１３上に、第１の版胴１１の中央部および両端部と対向する位置に固設される。展張ローラ回転軸１１３は、図示しない駆動手段と、印刷版の搬送方向にのみ回転させる一方向クラッチ１１５と、印刷版の搬送方向と逆方向への回転に負荷をかける負荷手段としてのトルク伝達クラッチ１１６とに接続される。【選択図】        図３
2005297439.tif 000002
【特許請求の範囲】
【請求項１】
印刷版の先端部を保持する先端部咥え機構と前記印刷版の後端部を保持する後端部咥え機構とを備え、その外周部に印刷版を装着するための版胴と、未露光の印刷版を収納する収納部と、前記収納部と前記版胴との間に配置され、前記収納部に収納された印刷版を前記版胴へ供給するための少なくとも一対の搬送ローラと当該一対の搬送ローラのうちの少なくとも一方の搬送ローラを回転駆動させるための駆動手段とを有する印刷版供給機構とを備える印刷装置を使用して、印刷版を版胴の外周部に装着するための印刷版の装着方法であって、
前記駆動手段により前記一対の搬送ローラを回転させることにより、印刷版を前記収納部から前記版胴に搬送する搬送工程と、
印刷版の先端部が前記先端部咥え機構により保持可能な位置に配設されたときに、前記駆動手段による前記搬送ローラへの回転駆動を停止する駆動停止工程と、
前記印刷版の先端部を前記先端部咥え機構により保持する先端部保持工程と、
前記一対の搬送ローラへの回転駆動を停止するとともに、前記一対の搬送ローラのうちの少なくとも一方の搬送ローラに対し負荷手段により負荷を付与した状態で、前記版胴を回転させる版胴回転工程と、
前記版胴の回転に伴って前記印刷版の後端部が前記後端部咥え機構により保持可能な位置に配設されたときに、前記版胴の回転を停止する版胴停止工程と、
前記印刷版の後端部を前記後端部咥え機構により保持する後端部保持工程と、
を備えることを特徴とする印刷版の装着方法。
【請求項２】
請求項１に記載の印刷版の装着方法において、
前記版胴回転工程においては、押圧ローラにより印刷版を前記版胴の外周部に向けて押圧する印刷版の装着方法。
【請求項３】
請求項１に記載の印刷版の装着方法において、
前記負荷手段は、前記一対の搬送ローラのうち、印刷版の裏面側と当接する搬送ローラに負荷を付与する印刷版の装着方法。
【請求項４】
印刷版の先端部を保持する先端部咥え機構と前記印刷版の後端部を保持する後端部咥え機構とを備え、その外周部に印刷版を装着する版胴と、未露光の印刷版を収納する収納部と、前記収納部と前記版胴との間に配置され、前記収納部に収納された印刷版を前記版胴へ供給するための印刷版供給機構とを備える印刷装置において、
前記印刷版供給機構は、
少なくとも一対の搬送ローラと、
前記一対の搬送ローラのうちの少なくとも一方の搬送ローラを回転駆動させるための駆動手段と、
前記駆動手段と当該駆動手段により回転駆動される搬送ローラとの間に配設され、当該搬送ローラを印刷版の搬送方向に対して自由に回転させる一方向クラッチと、
前記一対の搬送ローラのうちの少なくとも一方の搬送ローラに対し、当該搬送ローラが印刷版の搬送方向へ回転するときに負荷を付与する負荷手段と、
を備えることを特徴とする印刷装置。
【請求項５】
請求項４に記載の印刷装置において、
前記負荷手段は、前記一対の搬送ローラのうち、印刷版の裏面側と当接する搬送ローラに負荷を付与する印刷装置。
【請求項６】
請求項４に記載の印刷装置において、
前記負荷手段は、前記一対の搬送ローラのうちの少なくとも一方の搬送ローラに接続されたトルク伝達クラッチより構成される印刷装置。
【請求項７】
請求項６に記載の印刷装置において、
前記トルク伝達クラッチは、前記駆動手段により回転駆動される搬送ローラに接続される印刷装置。
【請求項８】
請求項６または請求項７に記載の印刷装置において、
前記トルク伝達クラッチは前記一対の搬送ローラのうち、印刷版の裏面側と当接するローラに負荷を付与する印刷装置。
【請求項９】
請求項４乃至請求項８のいずれかに記載の印刷装置において、
前記駆動手段は、前記印刷版の先端部が先端咥え機構により保持された後は、前記搬送ローラへの回転駆動を停止する印刷装置。
【請求項１０】
請求項４乃至請求項９のいずれかに記載の印刷装置において、
印刷版を前記版胴の外周部に向けて押圧するための前記版胴の外周部に近接した押圧位置と、前記版胴の外周部から離隔した待機位置との間で移動可能な押圧ローラを、さらに備える印刷装置。
【発明の詳細な説明】
【技術分野】
【０００１】
この発明は、その外周部に印刷版を装着する版胴と、未露光の印刷版を収納する収納部と収納部と版胴との間に配置され、印刷版を狭持して版胴へ搬送するための印刷版供給装置とを備える印刷装置、および、この印刷装置を利用して印刷版を版胴に装着する印刷版の装着方法に関する。
【背景技術】
【０００２】
このような印刷装置として、例えば、特許文献１に記載される装置が知られている。
【０００３】
特許文献１に記載される装置は、版胴の外周部に装着されるべき印刷版の先端部を、版胴に配設された先端部爪機構における爪と爪座とで狭持することにより、印刷版を版胴の表面において保持する。この装置は、先端部が先端部爪機構における爪と爪座とにより狭持された印刷版を版胴の外周部に向けて押圧するための版胴の表面に近接した押圧位置と、版胴の表面から離隔した待機位置との間で移動可能な押圧ローラを備える。このため、特許文献１に記載される装置によれば、たるみの発生を防止しながら印刷版を版胴の外周部に展張することが可能となる。
【特許文献１】特開平１１−７７９６５号公報
【発明の開示】
【発明が解決しようとする課題】
【０００４】
しかしながら、弾性力の強い材質からなる印刷版を使用する場合には、特許文献１に記載される装置に備えられる押圧ローラにより印刷版を版胴の外周部に向けて押圧しても、展張が緩くなり、印刷版にたるみが発生する場合がある。このようなたるみの発生は、特に、弾性力の強い材質からなる印刷版を使用する場合に顕著である。
【０００５】
この発明は、以上のような課題を解決するためになされたものであり、印刷版にたるみを生じさせることなく版胴の外周部に装着させることができる印刷装置を提供することを目的とする。
【課題を解決するための手段】
【０００６】
請求項１に記載の発明は、印刷版の先端部を保持する先端部咥え機構と前記印刷版の後端部を保持する後端部咥え機構とを備え、その外周部に印刷版を装着するための版胴と、未露光の印刷版を収納する収納部と、前記収納部と前記版胴との間に配置され、前記収納部に収納された印刷版を前記版胴へ供給するための少なくとも一対の搬送ローラと当該一対の搬送ローラのうちの少なくとも一方の搬送ローラを回転駆動させるための駆動手段とを有する印刷版供給機構とを備える印刷装置を使用して、印刷版を版胴の外周部に装着するための印刷版の装着方法であって、前記駆動手段により前記一対の搬送ローラを回転させることにより、印刷版を前記収納部から前記版胴に搬送する搬送工程と、印刷版の先端部が前記先端部咥え機構により保持可能な位置に配設されたときに、前記駆動手段による前記搬送ローラへの回転駆動を停止する駆動停止工程と、前記印刷版の先端部を前記先端部咥え機構により保持する先端部保持工程と、前記一対の搬送ローラへの回転駆動を停止するとともに、前記一対の搬送ローラのうちの少なくとも一方の搬送ローラに対し負荷手段により負荷を付与した状態で、前記版胴を回転させる版胴回転工程と、前記版胴の回転に伴って前記印刷版の後端部が前記後端部咥え機構により保持可能な位置に配設されたときに、前記版胴の回転を停止する版胴停止工程と、前記印刷版の後端部を前記後端部咥え機構により保持する後端部保持工程とを備えることを特徴とする。
【０００７】
請求項２に記載の発明は、請求項１に記載の印刷版の装着方法において、前記版胴回転工程においては、押圧ローラにより印刷版を前記版胴の外周部に向けて押圧する。
【０００８】
請求項３に記載の発明は、請求項１に記載の印刷版の装着方法において、前記負荷手段は、前記一対の搬送ローラのうち、印刷版の裏面側と当接する搬送ローラに負荷を付与する。
【０００９】
請求項４に記載の発明は、印刷版の先端部を保持する先端部咥え機構と前記印刷版の後端部を保持する後端部咥え機構とを備え、その外周部に印刷版を装着する版胴と、未露光の印刷版を収納する収納部と、前記収納部と前記版胴との間に配置され、前記収納部に収納された印刷版を前記版胴へ供給するための印刷版供給機構とを備える印刷装置において、前記印刷版供給機構は、少なくとも一対の搬送ローラと、前記一対の搬送ローラのうちの少なくとも一方の搬送ローラを回転駆動させるための駆動手段と、前記駆動手段と当該駆動手段により回転駆動される搬送ローラとの間に配設され、当該搬送ローラを印刷版の搬送方向に対して自由に回転させる一方向クラッチと、前記一対の搬送ローラのうちの少なくとも一方の搬送ローラに対し、当該搬送ローラが印刷版の搬送方向へ回転するときに負荷を付与する負荷手段とを備えることを特徴とする。
【００１０】
請求項５に記載の発明は、請求項４に記載の印刷装置において、前記負荷手段は、前記一対の搬送ローラのうち、印刷版の裏面側と当接する搬送ローラに負荷を付与する。
【００１１】
請求項６に記載の発明は、請求項４に記載の印刷装置において、前記負荷手段は、前記一対の搬送ローラのうちの少なくとも一方の搬送ローラに接続されたトルク伝達クラッチより構成される。
【００１２】
請求項７に記載の発明は、請求項６に記載の印刷装置において、前記トルク伝達クラッチは、前記駆動手段により回転駆動される搬送ローラに接続される。
【００１３】
請求項８に記載の発明は、請求項６または請求項７に記載の印刷装置において、前記トルク伝達クラッチは前記一対の搬送ローラのうち、印刷版の裏面側と当接するローラに負荷を付与する。
【００１４】
請求項９に記載の発明は、請求項４乃至請求項８のいずれかに記載の印刷装置において、前記駆動手段は、前記印刷版の先端部が先端咥え機構により保持された後は、前記搬送ローラへの回転駆動を停止する。
【００１５】
請求項１０に記載の発明は、請求項４乃至請求項９のいずれかに記載の印刷装置において、印刷版を前記版胴の外周部に向けて押圧するための前記版胴の外周部に近接した押圧位置と、前記版胴の外周部から離隔した待機位置との間で移動可能な押圧ローラを、さらに備える。
【発明の効果】
【００１６】
請求項１に記載の発明によれば、一対の搬送ローラのうち少なくとも一方の搬送ローラに対し負荷手段により負荷を付与した状態で、版胴を回転させる版胴回転工程を備えることから、印刷版にたるみを生じさせることなく版胴の外周部に装着させることが可能となる。
【００１７】
請求項２に記載の発明によれば、版胴回転工程においては、押圧ローラにより印刷版を版胴の外周部に向けて押圧することから、より一層、印刷版にたるみを生じさせることなく版胴の外周部に装着させることが可能となる。
【００１８】
請求項３に記載の発明によれば、負荷手段は、一対の搬送ローラのうち、印刷版の裏面側と当接する搬送ローラに負荷を付与することから、印刷に使用される印刷版の表面の傷の発生を防止することが可能となる。
【００１９】
請求項４に記載の発明によれば、印刷版供給機構が、少なくとも一対の搬送ローラと、一対の搬送ローラのうちの少なくとも一方の搬送ローラを回転駆動させるための駆動手段と、搬送ローラを印刷版の搬送方向に対して自由に回転させる一方向クラッチと、一対の搬送ローラのうち少なくとも一方の搬送ローラに対し、当該搬送ローラが印刷版の搬送方向へ回転するときに負荷を付与する負荷手段とを備えることから、印刷版にたるみを生じさせることなく、印刷版を確実に版胴の外周部に装着させることが可能となる。
【００２０】
請求項５および請求項８に記載の発明によれば、負荷手段は、一対の搬送ローラのうち、印刷版の裏面側と当接する搬送ローラに負荷を付与することから、印刷に使用される印刷版の表面の傷の発生を防止することが可能となる。
【００２１】
請求項６および請求項７に記載の発明によれば、負荷手段は、一対の搬送ローラのうちの少なくとも一方の搬送ローラに接続されたトルク伝達クラッチより構成されることから、簡易な構成でありながら、搬送ローラの駆動を規制することが可能となる。
【００２２】
請求項９に記載の発明によれば、駆動手段は、印刷版の先端部が先端咥え機構により保持された後は、搬送ローラへの回転駆動を停止することから、印刷版は、負荷手段により負荷が付与された状態で、かつ、版胴の回転により引張力を受けた状態で、版胴に装着される。これにより、印刷版にたるみを生じさせることなく版胴の外周部に装着させることが可能となる。
【００２３】
請求項１０に記載の発明によれば、印刷版を版胴の外周部に向けて押圧するための版胴の外周部に近接した押圧位置と、版胴の外周部から離隔した待機位置との間で移動可能な押圧ローラをさらに備えることから、より一層、印刷版にたるみを生じさせることなく版胴の外周部に装着させることが可能となる。
【発明を実施するための最良の形態】
【００２４】
以下、この発明の実施の形態について、図面に基づいて説明する。図１は、この発明に係る印刷装置の側面概略図である。
【００２５】
この印刷装置は、第１、第２の版胴１１、１２に各々２枚ずつ装着された印刷版に画像を記録して製版した後、この印刷版に供給されたインキをブランケット胴を介して圧胴１５、１６に保持された印刷用紙に転写することにより印刷を行うものである。
【００２６】
この印刷装置は、第１の版胴１１と、第２の版胴１２と、第１の版胴１１の外周部に装着されるべき印刷版を第１の版胴１１に供給するための印刷版供給装置１００と、第２の版胴１２の外周部に装着されるべき印刷版を第２の版胴１２に供給するための印刷版供給装置２００と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴と、給紙部３１から供給された印刷用紙を第１の圧胴１５に渡すための給紙胴１７と、第１の圧胴１５から受け取った印刷用紙を第２の圧胴に渡すための渡し胴１８と、第２の圧胴１６に隣接して配置された排紙胴１９とを備える。
【００２７】
第１のブランケット胴１３と当接可能に設けられた第１の圧胴１５は、第１の版胴１１および第１のブランケット胴１３の直径の１／２の直径を有する。また、第２のブランケット胴１４と当接可能に設けられた圧胴１６は、第２の版胴１２および第２のブランケット胴１４の直径の１／２の直径を有する。なお、第１および第２の圧胴１５、１６は、印刷用紙の先端を保持して搬送するための図示しないグリッパを有する。
【００２８】
また、第１の圧胴１５に隣接して配設された給紙胴１７は、第１の圧胴１５と同一の直径を有する。この給紙胴１７は、給紙部３１から１枚ずつ供給された印刷用紙の先端部を図示しないグリッパにより保持して搬送する。グリッパにより保持された印刷用紙の先端は、給紙胴１７から第１の圧胴１５への印刷用紙の受け渡し時に、第１の圧胴１５のグリッパにより保持される。
【００２９】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００３０】
第２の圧胴に隣接して配置された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷用紙の受け渡し時に、排紙胴１９のいずれかのグリッパにより保持される。そして、この印刷用紙は、チェーン２３の移動に伴って、排紙部３２上に排出される。
【００３１】
第１、第２の圧胴１５、１６、給紙胴１７、排紙胴１９、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、その端部に付設されたギヤにより各々連結されている。従って、駆動モータの駆動により、これらの第１、第２の版胴１１、１２、第１、第２の圧胴１５、１６、給紙胴１７、排紙胴１９、第１、第２のブランケット胴１３、１４は。互いに同期して回転する。
【００３２】
第１の版胴１１の周囲には、第１の版胴１１の外周部に装着された印刷版に対し、例えばブラック（Ｋ）のインキを供給するためのインキ供給装置２０ａと、第１の版胴１１の外周部に装着された印刷版に対し、例えばマゼンダ（Ｍ）のインキを供給するためのインキ供給装置２０ｂと、印刷版におけるインキ供給装置２０ａによりインキが供給される領域に湿し水を供給するための湿し水供給装置２１ａと、印刷版におけるインキ供給装置２０ｂによりインキが供給される領域に湿し水を供給するための湿し水供給装置２１ｂとが配置されている。また、第２の版胴１２の周囲には、収納部４３に収納された印刷版を第２の版胴１２に供給するための印刷版供給装置２００と、第２の版胴１２の外周部に装着された印刷版に対し、例えばシアン（Ｃ）のインキを供給するためのインキ供給装置２０ｃと、第２の版胴１２の外周部に装着された印刷版に対し、例えばイエロー（Ｙ）のインキを供給するためのインキ供給装置２０ｄと、印刷版におけるインキ供給装置２０ｃによりインキが供給される領域に湿し水を供給するための湿し水供給装置２１ｃと、印刷版におけるインキ供給装置２０ｄによりインキが供給される領域に湿し水を供給するための湿し水供給装置２１ｄとが配置されている。
【００３３】
さらに、第１の版胴１１および第２の版胴の周囲には、それぞれ、収納部４１に収納された印刷版を第１の版胴１１の外周部に供給するための印刷版供給装置１００と、収納部４３に収納された印刷版を第２の版胴１２の外周部に供給するための印刷版供給装置２００と、第１の版胴１１の外周部に装着された印刷版に画像を記録するための画像記録装置３５と、第２の版胴１２の外周部に装着された印刷版に画像を記録するための画像記録装置３６とが配置されている。
【００３４】
図２は、この発明に係る印刷装置における印刷版供給装置１００を、収納部４１、押圧ローラ１２０、押圧ローラ移動機構１３０、および第１の版胴１１とともに示す概略図である。なお、第２の版胴１２の周囲に配置される印刷版供給装置２００、収納部４３、押圧ローラ２２０、押圧ローラ移動機構２３０については、第１の版胴１１の周囲に配置される印刷版供給装置１００等と同一の構成を有するため、ここでは説明を省略する。
【００３５】
図２に示すように、第１の版胴１１は、印刷版供給装置１００により搬送された印刷版の先端部を保持するための先端部咥え機構１１ａと、印刷版の後端部を保持するための図示しない後端部咥え機構とを備える。
【００３６】
印刷版供給装置１００は、ロール状に巻回された印刷版を収納する収納部４１と、第１の版胴１１との間に配置される。この印刷版供給装置１００は、印刷版を所定の長さに切断するためのカッタ４２と、印刷版を収納部４１から第１の版胴１１へ搬送するための一対の第１ローラ１０３、１０４、一対の第２ローラ１０５、１０６、一対の第３搬送ローラ１１８、１１９、および、一対の搬送ローラ１１１、１１２を備える。
【００３７】
図３は、図２における印刷版供給装置１００の一対の搬送ローラ１１１、１１２を示す正面図である。
【００３８】
一対の搬送ローラ１１１、１１２のうち、印刷版の裏面側と当接可能に配置された搬送ローラ１１１は、印刷版を展張するための搬送ローラである。以下、この搬送ローラを「展張ローラ１１１」と呼称する。また、展張ローラ１１１、従動ローラ１１２のうち、印刷版の表面側に当接可能に配置された搬送ローラ１１２は、自由に回転して印刷版を案内するための搬送ローラである。以下、この搬送ローラを「従動ローラ１１２」と呼称する。ここで、印刷版の裏面側とは、印刷版において第１の版胴１１の外周面に装着される際に第１の版胴１１と接触する側のことをいい、印刷版の表面側とは、印刷版において画像記録装置３５により画像が記録される側のことをいう。
【００３９】
展張ローラ１１１は、第１の版胴１１の回転軸と平行となるように配設された展張ローラ回転軸１１３上に、第１の版胴１１の中央部および両端部と対向する位置に固設される。展張ローラ回転軸１１３は、展張ローラ１１１を回転駆動させるための駆動手段としてのモータ１１７（図６参照）と、展張ローラ１１１を印刷版の搬送方向に対して自由に回転させる一方向クラッチ１１５と、展張ローラ１１１が印刷版の搬送方向へ回転するときに負荷を付与する負荷手段としてのトルク伝達クラッチ１１６とに接続される。これらの一方向クラッチ１１５およびトルク伝達クラッチ１１６は、モータ１１７と展張ローラ１１１との間に配設される。ここで、この明細書中において、トルク伝達クラッチとは、接続される回転軸に対してトルク負荷を伝達および遮断するためのクラッチをいう。なお、この実施形態においては、トルク伝達クラッチ１１６として、特殊な磁性粉体（パウダ）を介してトルクを伝達するパウダクラッチを使用している。このパウダクラッチを使用することにより、トルク負荷の伝達および遮断の切替時に生じる衝撃が微小となり、スムースな動作が可能となる。
【００４０】
従動ローラ１１２は、展張ローラ回転軸１１３と平行となるように配設された従動ローラ回転軸１１４上に、展張ローラ回転軸１１３上に固設される展張ローラ１１１と対向する位置に固設される。従動ローラ回転軸１１４は、この展張ローラ１１１、従動ローラ１１２を印刷版が通過する際の印刷版の移動に伴い印刷版の移動速度と同速度で回転可能となるように図示しない一方向クラッチに接続される。
【００４１】
なお、印刷版の裏面側と当接する第１ローラ１０３、第２ローラ１０５および第３ローラ１１８は、展張ローラ１１１と同様に、それらの回転軸がモータ１１７および一方向クラッチに接続される。また、印刷版の表面側と当接する第１ローラ１０４、第２ローラ１０６および第３ローラ１１９は、従動ローラ１１２と同様に、それらの回転軸が一方向クラッチに接続される。このため、印刷版は、第１ローラ１０３および第２ローラ１０５のモータ１１７による駆動が停止された後においても、一対の第１ローラ１０３、１０４、および、一対の第２ローラ１０５、１０６と印刷版との間で滑りが生じることなく搬送される。これにより、印刷版に傷を生じさせることなく、第１ローラ１０３、１０４と第２ローラ１０５、１０６との間を搬送することが可能となる。
【００４２】
図４は、この発明に係る印刷装置における展張ローラ１１１、従動ローラ１１２、遮蔽部材１４０、遮蔽部材移動機構１５０、押圧ローラ１２０、および、押圧ローラ移動機構１３０の主要部を示す概略側面図である。また、図５は、この発明に係る印刷装置における遮蔽部材１４０、遮蔽部材移動機構１５０、押圧ローラ１２０、および押圧ローラ移動機構１３０を、それらの配置関係を平面に展開して示す説明図である。
【００４３】
押圧ローラ１２０は、印刷版を第１の版胴１１の外周部に向けて押圧するためのものである。この押圧ローラ１２０は、押圧ローラ回転軸１３３を中心に回転可能に構成されている。また、この押圧ローラ１２０は、押圧ローラ移動機構１３０の駆動により、押圧ローラ１２０を、図４において実線で示す第１の版胴１１の外周部から離隔した待機位置と、図４において二点鎖線で示す第１の版胴１１の外周部に近接した押圧位置との間を移動する。また、押圧ローラ１２０が、待機位置に配置されるときには、押圧ローラ１２０と第１の版胴１１との間を遮蔽部材１４０が遮蔽する。
【００４４】
押圧ローラ移動機構１３０は、支持部材１３５と、この支持部材１３５に支持され、第１の版胴１１の回転軸と垂直方向に伸縮可能なエアシリンダ１３１と、エアシリンダ１３１のシリンダロッド１３１ａに接続され、エアシリンダ１３１の伸縮駆動により軸１３４を中心に回動する伝達アーム１３２とを備える。この伝達アーム１３２の一端には、押圧ローラ回転軸１３３を中心に押圧ローラ１２０が回転自在に軸支される。このため、押圧ローラ１２０は、伝達アーム１３２の回動に伴い、軸１３４を中心に曲線状に移動する。従って、押圧ローラ１２０および押圧ローラ移動機構１３０を配置させるためのスペースを縮小させることができ、印刷版を先端咥え機構１１ａにより保持される直後の位置から押圧することが可能となる。
【００４５】
遮蔽部材１４０は、押圧ローラ１２０が待機位置に配置されるときに押圧ローラ１２０と第１の版胴１１との間を遮蔽し、押圧ローラ１２０に対して印刷装置内に飛散するインキ等の汚れが付着することを防止するためのものであり、この実施の形態では、遮蔽部材１４０は押圧ローラ１２０の表面の約半周分程度をカバーする凹形状を採用している。この遮蔽部材１４０は、遮蔽部材移動機構１５０の駆動により、図４において実線で示す押圧ローラ１２０と第１の版胴１１との間を遮蔽する遮蔽位置と、図４において二点鎖線で示す押圧ローラ１２０と第１の版胴１１との間を開放する開放位置との間で移動する。
【００４６】
遮蔽部材移動機構１５０は、支持部材１３５に配設されるラック１５２と、押圧ローラ回転軸１３３と同軸上に配設される歯車１５１とを備える。ラック１５２には歯車１５１と歯合する歯列が円周上に形成され、歯車１５１には、遮蔽部材１４０が固定される。このため、この歯車１５１が、ラック１５２と協働することにより、伝達アーム１３２の回動に伴って、遮蔽部材１４０を押圧ローラ回転軸１３３周りに回転させる。これにより、遮蔽部材１４０は、押圧ローラ１２０の移動と同期して回転する。そして、押圧ローラ１２０が押圧位置に移動するタイミングと遮蔽部材１４０が開放位置に移動するタイミングとを容易に合わせることが可能となる。
【００４７】
図６は、この印刷装置の主要な電気的構成を示すブロック図である。この印刷装置は、装置の制御に必要な動作プログラムが格納されたＲＯＭ４０１と、制御時にデータ等が一時的にストアされるＲＡＭ４０２と、ＣＰＵ４０３とからなる制御部４００を備える。この制御部は３００は、インタフェース４０４を介して、展張ローラ１１１を回転駆動させるモータ１１７、および、押圧ローラ１２０の移動の動力源としてのエアシリンダ１３１の駆動信号を発生させる駆動回路４０５と接続されている。印刷装置はこの制御部４００により制御され、後述する印刷版装着を実行する。
【００４８】
図７は、この発明に係る印刷装置において、未露光の印刷版を第１の版胴１１に装着するまでの工程を示すフローチャートである。
【００４９】
以上に説明したこの発明に係る印刷装置において第１の版胴に印刷版を装着するときには、まず、一対の第３ローラ１１８、１１９によりロール状に巻回された印刷版を収納部４１から引き出す。そして、所定の長さの印刷版が引き出されると、カッタ４２により印刷版を切断する。切断された印刷版は、各ローラ１０３、１０４、１０５、１０６、１１１、１１２の回転駆動により、第１の版胴１１に印刷版を搬送する（ステップＳ１）。
【００５０】
ステップＳ１において、第１の版胴１１に印刷版を搬送し、印刷版の先端部が先端部咥え機構１１ａにより保持可能な位置に配設されたときにモータ１１７による展張ローラ１１１への回転駆動を停止する（ステップＳ２）。このため、印刷版の第１の版胴１１への搬送も停止される。なお、印刷版が先端部咥え機構１１ａにより保持可能な位置に配設されたかどうかは、モータ１１７の駆動時間に基づいて判断してもよいし、図示しないセンサで検知してもよい。
【００５１】
ステップＳ２において、モータ１１７による展張ローラ１１１への回転駆動を停止した後、印刷版の先端部を先端部咥え機構１１ａにより保持する（ステップＳ３）。
【００５２】
次に、待機位置に配置される押圧ローラ１２０を押圧位置に移動させて、印刷版を第１の版胴１１の外周部に向けて押圧する。
【００５３】
ここで、押圧ローラ１２０の待機位置と押圧位置との間の移動動作を図８および図９を用いて説明する。図８は、この発明に係る印刷装置における押圧ローラ１２０が待機位置に配置された状態を示す側面概略図である。また、図９は、この発明に係る印刷装置における押圧ローラ１２０が押圧位置に配置された状態を示す側面概略図である。
【００５４】
押圧ローラ１２０を図８に示す待機位置から図９に示す押圧位置へ移動させるときには、まず、エアシリンダ１３１のシリンダロッド１３１ａを第１の版胴１１の回転軸と垂直方向に伸張させる。このシリンダロッド１３１ａの伸張により、伝達アーム１３２が軸１３４を中心に回動する。そして、伝達アーム１３２の回動動作に伴い、伝達アーム１３２に接続される押圧ローラ回転軸１３３が移動することにより、押圧ローラ１２０が押圧位置へ移動する。なお、遮蔽部材移動機構１５０は、押圧ローラ軸１３３回りに回転可能な歯車１５１を備える。このため、この押圧ローラ１２０の移動に伴い、押圧ローラ軸１３３回りに歯車１５１が回転する。そして、歯車１５１に固定される遮蔽部材１４０は、ローラ回転軸１３３が軸１３４を中心に移動することにより、歯車１５１が回転し、図８に示す遮蔽位置から図９に示す開放位置へ移動する。
【００５５】
次に、展張ローラ１１１に対しトルク伝達クラッチ１１６により負荷を付与した状態で、かつ、印刷版を押圧ローラ１２０により第１の版胴１１の外周部に向けて押圧した状態で、第１の版胴１１を図９の時計回り方向に回転させる（ステップＳ４）。
【００５６】
ステップＳ４において、第１の版胴１１が回転すると、印刷版は、トルク伝達クラッチ１１６による負荷よりも大きな力で第１の版胴１１の回転方向に引っ張られる。そして、先端部咥え機構１１ａにより先端部が保持された印刷版が押圧ローラ１２０により押圧された状態で、印刷版が第１の版胴１１の外周部に巻回される。このため、印刷版にたるみを生じさせることなく第１の版胴１１の外周部に装着させることができる。なお、展張ローラ回転軸１１３が一方向クラッチ１１５に接続されている。このことから、印刷版が展張ローラ１１１、従動ローラ１１２を通過するときに、展張ローラ１１１と従動ローラ１１２とは自由に回転し、展張ローラ１１１、従動ローラ１１２と印刷版との間で滑りが生じることなく搬送される。
【００５７】
そして、印刷版の後端部が後端部咥え機構により保持可能な位置に配設されたときに、第１の版胴１１の回転を停止する（ステップＳ５）。その後、印刷版の後端部を後端部咥え機構により保持する（ステップＳ６）。
【００５８】
なお、上述した実施形態においては、展張ローラ１１１は搬送される印刷版の裏面側に当接可能に配置される構成としているが、搬送される印刷版の表面側に当接可能に配置される構成としてもよい。ただし、非画像記録面である裏面側に設けることが好ましい。
【００５９】
また、上述した実施形態においては、トルク伝達クラッチ１１６は展張ローラ回転軸１１３に接続される構成としているが、従動ローラ回転軸１１４に接続される構成としてもよい。
【００６０】
さらに、上述した実施形態においては、一対の搬送ローラ１１０の一方をモータ１１７と接続される展張ローラ１１１とする構成としているが、両方を駆動手段と接続される展張ローラ１１１とする構成としてもよい。
【図面の簡単な説明】
【００６１】
【図１】この発明に係る印刷装置の側面概略図である。
【図２】この発明に係る印刷装置における印刷版供給装置１００を、収納部４１、押圧ローラ１２０、押圧ローラ移動機構１３０、および第１の版胴１１とともに示す概略図である。
【図３】図２における印刷版供給装置１００の一対の搬送ローラ１１１、１１２を示す正面図である。
【図４】この発明に係る印刷装置における展張ローラ１１１、従動ローラ１１２、遮蔽部材１４０、遮蔽部材移動機構１５０、押圧ローラ１２０、および押圧ローラ移動機構１３０の主要部を示す概略側面図である。
【図５】この発明に係る印刷装置における遮蔽部材１４０、遮蔽部材移動機構１５０、押圧ローラ１２０、および押圧ローラ移動機構１３０を、それらの配置関係を平面に展開して示す説明図である。
【図６】この印刷装置の主要な電気的構成を示すブロック図である。
【図７】この発明に係る印刷装置において未露光の印刷版を第１の版胴１１に装着するまでの工程を示すフローチャートである。
【図８】この発明に係る印刷装置における押圧ローラ１２０が待機位置に配置される様子を示す側面概略図である。
【図９】この発明に係る印刷装置における押圧ローラ１２０が押圧位置に配置される様子を示す側面概略図である。
【符号の説明】
【００６２】
１１      第１の版胴
１２      第２の版胴
１３      第１のブランケット胴
１４      第２のブランケット胴
１５      第１の圧胴
１６      第２の圧胴
１７      給紙胴
１８      渡し胴
１９      排紙胴
２０      インキ供給装置
２１      湿し水供給装置
２３      チェーン
３１      給紙部
３２      排紙部
３５      画像記録装置
３６      画像記録装置
４１      収納部
４２      カッタ
４３      収納部
１００    印刷版供給装置
１０３    第１ローラ
１０４    第１ローラ
１０５    第２ローラ
１０６    第２ローラ
１１１    展張ローラ
１１２    従動ローラ
１１３    展張ローラ回転軸
１１４    従動ローラ回転軸
１１５    一方向クラッチ
１１６    トルク伝達クラッチ
１１７    モータ
１１８    第３ローラ
１１９    第３ローラ
１２０    押圧ローラ
１３０    押圧ローラ移動機構
１３１    エアシリンダ
１３２    伝達アーム
１３３    押圧ローラ回転軸
１３４    軸
１３５    支持部材
１４０    遮蔽部材
１５０    遮蔽部材移動機構
１５１    歯車
１５２    ラック
２００    印刷版供給装置
２２０    押圧ローラ
２３０    押圧ローラ移動機構
４００    制御部
４０１    ＲＯＭ
４０２    ＲＡＭ
４０３    ＣＰＵ
４０４    インターフェース
４０５    駆動回路
【図１】
2005297439.tif 000003
【図２】
2005297439.tif 000004
【図３】
2005297439.tif 000005
【図４】
2005297439.tif 000006
【図５】
2005297439.tif 000007
【図６】
2005297439.tif 000008
【図７】
2005297439.tif 000009
【図８】
2005297439.tif 000010
【図９】
2005297439.tif 000011